(57)【特許請求の範囲】
【請求項１】
腰周りを周回するベルトを設け、ベルトの後ろ中央部から仙骨部帯〜尾骨部帯〜肛門部帯〜会陰部帯までと、会陰部帯から前側の左右二股に分かれ、鼠径部帯を通り、ベルトの前側の２箇所の合流点までをなぞるように、肌触りが良く吸湿性に富むパイルタオルのような素材の吸湿帯を設け、吸湿帯の外側（身体と反対側）中央部にゴムひもを縫い合わせ、ゴムひもは引き伸ばした状態で吸湿帯と縫い合わせ、縫い合わせた後はゴムひもを自然な状態に戻すと、吸湿帯の縫い合わせ部はギャザーとなることを特徴とする下半身陰部吸湿サポーター。
【請求項２】
椅子等に座った時に、椅子に当たるお尻の一帯にも肌触りが良く吸湿性に富むパイルタオルのような素材で、お尻の丸みや動きにも十分足りる吸湿座部布を設けたことを特徴とする請求項１における下半身陰部吸湿サポーター。
【発明の詳細な説明】
【技術分野】
【０００１】  本発明は、吸湿サポーターに関するものである。
【背景技術】
【０００２】  従来、下半身の陰部は汗を掻きやすく、汗疹・かぶれ・いんきんたむし等の疾患になりやすかった。
男性器を覆うと共にその付け根周辺と肛門近くまで生地を密着させたことを特徴とする男性用パンツの先行技術も知られている。（特許文献１参照）
また、吸湿パッドをパンツ内に当てるものがある。
【先行技術文献】
【特許文献】
【０００３】
【特許文献１】  特許公開２００９−２４９８０２号公報
【発明の概要】
【発明が解決しようとする課題】
【０００４】  下半身の陰部は、デスクワークや車の運転など座っているだけで汗ばむことがあり、汗疹・かぶれ・いんきんたむし等になりやすい。
上記の先行技術（特許文献１）においては、自然な動きにおいて全体を覆う生地に引っ張られる等で、陰部の隙間にパンツの生地を常に保持させることが難しく、皮膚と皮膚が直接接触してしまい、そこが汗により症状が悪化しやすかった。また、薄い生地では汗の量に十分対応できない。
パンツ型は、陰部の隙間に生地を食い込ませるため、男性器や尻の割れ目が目立ってしまう上、パンツの種類やデザインを選べず、手持ちのパンツを使えない。
吸湿パッドをパンツ内に当てるものがあるが、手間がかかる上、その部分が膨らんでしまい目立ちやすい。
本発明は、以上の問題点を解決するためになされたものである。
【課題を解決するための手段】
【０００５】  腰周りを周回するベルトを設け、ベルトの後ろ中央部から仙骨部帯〜尾骨部帯〜肛門部帯〜会陰部帯までと、会陰部帯から前側の左右二股に分かれ、鼠径部帯を通り、ベルトの前側の２箇所の合流点までをなぞるように、肌触りが良く吸湿性に富むパイルタオルのような素材の吸湿帯を設け、吸湿帯の外側（身体と反対側）中央部にゴムひもを縫い合わせる。ゴムひもは引き伸ばした状態で吸湿帯と縫い合わせ、縫い合わせた後はゴムひもを自然な状態に戻すと、吸湿帯の縫い合わせ部はギャザーとなる。
以上の構成よりなる下半身陰部吸湿サポーター。
【発明の効果】
【０００６】  本発明は、パンツ型のような、陰部とその周辺全体を覆う生地を設けず、肌と肌が接触し汗を掻きやすく症状の出やすい一帯に限って、特に肌触りが良く吸湿性に富むパイルタオルのような素材の吸湿帯を設けているので、吸湿帯は他の生地に引っ張られることがない。また、吸湿帯はゴムひもとの縫い合わせ部のギャザーとゴムひもの特性である伸びと張りにより、体の複雑な動きに対しても常に陰部の隙間に侵入し、皮膚と皮膚の直接の接触を防止することができる。
吸湿帯におけるゴムひもを中心に両側の生地はたるみがあり、臀部の丸みや会陰部・鼠径部周辺の複雑な体形等にも柔軟にフィットする。したがって、吸湿帯が常に陰部の隙間に入り込み、掻いた汗をすぐに吸収して、陰部の様々な疾患の原因を軽減する。また、男性器を圧迫せず風通しも良い。
とりわけ、パンツの下に装着するので、その上から穿くパンツの種類やデザインを選ばず、手持ちのお気に入りのパンツを自由に着用できるため、男性器部分や尻の割れ目も目立たない。パンツ内にパッドを当てたりする必要がないので、装着の手間がかからず、その部分が膨らんで傍目に目立つという心配もない。
【図面の簡単な説明】
【０００７】
【図１】本発明の斜視図
【図２】本発明の正面図
【図３】本発明の平面図
【図４】本発明を装着した状態を示す斜視図
【図５】本発明を装着した状態を示す背面図
【図６】本発明のパンツ一体型を示す斜視図
【図７】本発明の一部である吸湿座部布を設けた平面図
【図８】本発明の一部である吸湿座部布を設け装着した状態を示す背面図
【図９】本発明の一部である前布を設けた平面図
【図１０】本発明の一部である前布を設け装着した状態を示す斜視図
【発明を実施するための形態】
【０００８】  以下、本発明の実施の形態を説明する。
腰周りを周回するベルト（１）を設け、ベルトの後ろ中央部（２）から仙骨部帯（３）〜尾骨部帯（４）〜肛門部帯（５）〜会陰部帯（６）までと、会陰部帯（６）から前側の左右二股に分かれ、鼠径部帯（７）を通り、ベルト（１）の前側の２箇所の合流点（８）までをなぞるように、肌触りが良く吸湿性に富むパイルタオルのような素材の吸湿帯（９）を設け、吸湿帯（９）の外側（身体と反対側）中央部にゴムひも（１０）を縫い合わせる。ゴムひも（１０）は引き伸ばした状態で吸湿帯（９）と縫い合わせ、縫い合わせた後はゴムひも（１０）を自然な状態に戻すと、吸湿帯（９）の縫い合わせ部はギャザー（１１）となる。
本発明は以上のような構造である。
本発明を使用するときは、一般的な市販のパンツを穿く要領で、鼠径部帯（７）を前方にして尾骨部帯（４）を跨いで両足を無造作に差し入れ、ベルト（１）を腰まで引き上げれば、吸湿帯（９）の仙骨部帯（３）・尾骨部帯（４）・肛門部帯（５）・会陰部帯（６）・鼠径部帯（７）は、自ず
とそれぞれ身体の部位に密着する。後は手持ちのパンツとズボンを穿けばよい。
図６に示すように、パンツ（１２）の内側に吸湿帯（９）を設けたパンツ（１２）一体型も可能であり、パンツ（１２）と吸湿帯（９）は、主にベルト（１）を介して接続しているので、パンツ（１２）生地に引っ張られることなく、吸湿帯（９）は常に陰部の隙間に入り込み、男性器を圧迫せず風通しも良い。また、陰部の傷などの保護や、包帯替わりにも使用できる。
尚、ゴムひも（１０）は、吸湿帯（９）の外側に限らず、内側もしくは織り込み型で設置することができる。また、ゴムひも（１０）と吸湿帯（９）との縫い合わせ部は、縫い合わせに限らず、通し穴を設け、ゴムひも（１０）を通す形で形成しても同じ効果が得られる。
また、椅子等に座った時に、椅子に当たるお尻の一帯も汗を掻きやすく、その部分にも肌触りが良く吸湿性に富むパイルタオルのような素材で、お尻の丸みや動きにも十分足りる吸湿座部布（１３）を設けることができる。（図７、図８参照）
本発明の前面、すなわち左右の鼠径部帯（７）を含む吸湿帯（９）とベルト（１）前面に囲まれた部分に前布（１４）を設ければ、性器を覆い隠すことができる。（図９、図１０参照）
【符号の説明】
【０００９】１ベルト、  ２ベルトの後ろ中央部、  ３仙骨部帯、  ４尾骨部帯、  ５肛門部帯、  ６会陰部帯、  ７鼠径部帯、  ８合流点、  ９吸湿帯、  １０ゴムひも、  １１ギャザー、  １２パンツ、  １３吸湿座部布、  １４前布
【要約】
【課題】下半身の陰部は汗を掻きやすく、その対策には、生地を密着させたパンツ型があるが、陰部の隙間にパンツの生地を常に保持できず、そこに掻いた汗により症状が悪化しやすく、薄い生地では汗の量に十分対応できない。また、パンツの種類やデザインを選べない。
男性器を圧迫せず風通しも良く、手持ちの好みのパンツと一緒に装着でき、前の膨らみや後ろの割れ目が傍目に目立つ心配がない下半身陰部吸湿サポーターを提供する。
【解決手段】腰周りを周回するベルトを設け、ベルトの後ろ中央部から仙骨部帯〜尾骨部帯〜肛門部帯〜会陰部帯までと、会陰部帯から前側の左右二股に分かれ、鼠径部帯を通り、ベルトの前側の２箇所の合流点までをなぞるように、吸湿性に富む吸湿帯を設けることを特徴とする下半身陰部吸湿サポーター。
【選択図】図１【図１】
0005426798.tif 000002
【図２】
0005426798.tif 000003
【図３】
0005426798.tif 000004
【図４】
0005426798.tif 000005
【図５】
0005426798.tif 000006
【図６】
0005426798.tif 000007
【図７】
0005426798.tif 000008
【図８】
0005426798.tif 000009
【図９】
0005426798.tif 000010
【図１０】
0005426798.tif 000011